(57)【要約】【課題】  両軸受リールにおいて、サミングを快適に行えるようにするとともに、釣り糸を確実に係止できるようにする。【解決手段】  スプール１２は、糸巻胴部１２ａと、糸巻胴部１２ａの両端に径方向外方に突出した第１フランジ部１２ｂ及び第２フランジ部１２ｃとを有している。第２フランジ部１２ｃは、糸巻胴部１２ａの径方向外方に突出して設けられた第２傾斜部１２ｆと、第２傾斜部１２ｆの先端部から軸方向外方に突出した第２円筒部１２ｇと、第２円筒部１２ｇから第２傾斜部１２ｆにわたって略Ｕ字状に湾曲した線材からなる釣糸係止部７０を装着可能に略Ｕ字状に凹んで形成された装着凹部１２ｋと、装着凹部１２ｋの基端部と連通し第２傾斜部１２ｆの内部にボス部１２ｈを貫通し釣糸係止部７０を挿入可能な貫通孔１２ｌとを有している。【選択図】      図６
2007006710.tif 000002
【特許請求の範囲】
【請求項１】
釣竿に取り付けられ、釣り糸の繰り出し及び巻き取りを行う両軸受リールであって、
前記釣竿に装着されるリール本体と、
前記リール本体の一側に回転自在に設けられたハンドルと、
前記リール本体に回転可能に支持され、外周に前記釣り糸が巻き付けられる筒状の糸巻胴部と、前記糸巻胴部の一端に径方向外方に突出して設けられた第１傾斜部と前記第１傾斜部の先端部から軸方向外方に突出して設けられた第１円筒部とを有する第１フランジ部と、前記糸巻胴部の他端に径方向外方に突出して設けられた第２傾斜部と前記第２傾斜部の先端部から軸方向外方に突出して設けられ軸方向長さが前記第１円筒部の軸方向長さより長くなるように形成された第２円筒部とを有する第２フランジ部とを有するスプールと、
基端部が前記糸巻胴部又は前記第２傾斜部に固定され、前記基端部から先端部の間の部分が前記第２傾斜部から前記第２円筒部に沿って折れ曲がり、前記先端部から挿入された前記釣り糸を前記第２フランジ部との間で挟持可能な釣糸係止部と、
を備えた両軸受リール。
【請求項２】
前記リール本体は、内部空間に前記スプールが配置される第１側板及び第２側板を有しており、
前記糸巻胴部の軸方向の中心位置は、前記第１側板と前記第２側板との間の前記内部空間の中心位置より、前記第１フランジ部側にずれて設けられ、
前記スプールの回転軸に平行に配置され前記糸巻胴部と対向する範囲の外周に螺旋状溝が形成された螺軸と、前記螺軸を回転させるための連動機構と、前記螺旋状溝に係合して往復移動する釣り糸案内部とを有し、前記釣り糸を前記スプールに均一に巻き付けるためのレベルワインド機構をさらに備えている、請求項１に記載の両軸受リール。
【請求項３】
前記第１フランジ部は、前記ハンドルと近接する側に設けられ、前記第２フランジ部は、前記ハンドルと離反する側に設けられている、請求項１又は２に記載の両軸受リール。
【請求項４】
前記第２フランジ部は、前記釣糸係止部を装着可能に凹んで形成された装着凹部を有している、請求項１から３のいずれか１項に記載の両軸受リール。
【請求項５】
前記装着凹部は、前記第２円筒部に形成されている、請求項４に記載の両軸受リール。
【請求項６】
前記装着凹部は、前記第２傾斜部に形成されている、請求項４又は５に記載の両軸受リール。
【請求項７】
前記釣糸係止部は、前記糸巻胴部に装着固定されている、請求項１から６のいずれか１項に記載の両軸受リール。
【請求項８】
前記釣糸係止部は、前記第２傾斜部に装着固定されている、請求項１から６のいずれか１項に記載の両軸受リール。
【請求項９】
前記釣糸係止部は、略Ｕ字状に湾曲した線材からなる金属製の針金状部材である、請求項１から９のいずれか１項に記載の両軸受リール。
【発明の詳細な説明】
【技術分野】
【０００１】
本発明は、両軸受リール、特に、釣り糸の繰り出し及び巻き取りを行う両軸受リールに関する。
【背景技術】
【０００２】
両軸受リールは、一般に、ハンドルを有するリール本体と、リール本体に回転自在に装着されたスプールとを備えている。スプールは、外周に釣り糸が巻き付けられる糸巻胴部と、糸巻胴部の両端に設けられたフランジ部とを有している。糸巻胴部は、外周に釣り糸が巻き付けられる円筒状の筒状部と、筒状部の内周側に形成されスプール軸に装着されるボス部とを有している。フランジ部は、糸巻胴部より大径に設けられ、糸巻胴部の両端にそれぞれ径方向外方に突出して設けられている。フランジ部は、軸方向外方に向けて徐々に拡径するように傾斜している。
【０００３】
このような両軸受リールでは、魚等がヒットしたときにスプールが高速回転するのを防止するために、フランジ部の外周部を親指で押さえる、いわゆるサミングを行うことがある。このようなサミングを行うことにより、スプールの過回転を防止できるので、魚等とのやり取りを楽しんだり、あるいは釣り糸がバックラッシュするのを防止できる。
【０００４】
このようなサミング可能な両軸受リールにおいて、特に、ワカサギ釣りに用いられる両軸受リールにおいては、サミングを行いやすくするために、サミングする側のフランジ部を、逆側のフランジ部に比して、軸方向長さが長くなるように円筒状に形成されたものが知られている（たとえば、特許文献１参照）。このようにサミングする側のフランジ部の軸方向長さを長く円筒状に形成することにより、親指の接触面積が増加するので、サミングを容易にかつ確実に行うことができる。
【０００５】
また、ワカサギ釣り等の落とし込み釣りでは、仕掛けを棚位置まで落としたとき、棚位置を記憶するために、繰り出した釣り糸の途中部分を係止するための突出した舌状の釣糸係止部をサミングする側のフランジ部の円筒状部分に固定されたものが知られている（たとえば、特許文献１、特に、第５図参照）。ここでは、舌状の釣糸係止部に釣り糸の途中部分を係止した状態で釣り糸をさらに巻き上げることにより、再度仕掛けを投入するときに係止位置より後に巻き上げた釣り糸だけ投出されるので、前回と同じ棚位置に仕掛けを位置させることができる。
【特許文献１】実開昭６２−１４４４７７号公報
【発明の開示】
【発明が解決しようとする課題】
【０００６】
前記従来の両軸受リールは、繰り出した釣り糸の途中部分を係止するための釣糸係止部が、サミングする側のフランジ部の円筒状部分に固定されているので、たとえばフランジ部の糸巻胴部側端部に固定部を設けると、釣り糸が係止される挟持部分が円筒状部分の固定部より軸方向外方に位置する。釣り糸が係止される挟持部分が軸方向外方に位置すると、釣り糸を係止できる挟持幅、すなわち釣糸係止部の先端部と固定部との間の軸方向長さが短くなるので、係止した釣り糸が抜けやすくなり、このため釣り糸の確実な係止を阻害するおそれが生じる。
【０００７】
本発明の課題は、両軸受リールにおいて、サミングを快適に行えるようにするとともに、釣り糸を確実に係止できるようにすることにある。
【課題を解決するための手段】
【０００８】
発明１に係る両軸受リールは、釣竿に取り付けられ釣り糸の繰り出し及び巻き取りを行う両軸受リールであって、釣竿に装着されるリール本体と、リール本体の一側に回転自在に設けられたハンドルと、スプールと、釣糸係止部とを備えている。スプールは、リール本体に回転可能に支持され、外周に釣り糸が巻き付けられる筒状の糸巻胴部と、糸巻胴部の一端に径方向外方に突出して設けられた第１傾斜部と第１傾斜部の先端部から軸方向外方に突出して設けられた第１円筒部とを有する第１フランジ部と、糸巻胴部の他端に径方向外方に突出して設けられた第２傾斜部と第２傾斜部の先端部から軸方向外方に突出して設けられ軸方向長さが第１円筒部の軸方向長さより長くなるように形成された第２円筒部とを有する第２フランジ部とを有している。釣糸係止部は、基端部が糸巻胴部又は第２傾斜部に固定され、基端部から先端部の間の部分が第２傾斜部から第２円筒部に沿って折れ曲がり、先端部から挿入された釣り糸を第２フランジ部との間で挟持可能な部材である。
【０００９】
この両軸受リールでは、第２フランジ部は、第１フランジ部の第１円筒部の軸方向長さより長くなるように形成された第２円筒部を有しているので、親指の接触面積が増加し、このためサミングを快適に行うことができる。
【００１０】
また、第２フランジ部側に釣糸係止部が設けられているので、釣り糸の係止が容易になる。さらに、ここでは、釣糸係止部は、基端部が糸巻胴部又は第２傾斜部に固定され、基端部から先端部の間の部分が第２傾斜部から第２円筒部に沿って折れ曲がって形成されているので、従来のように第２円筒部の糸巻胴部側端部に固定部を設ける必要がなくなる。したがって、釣り糸が係止される挟持部分が軸方向外方に位置することがなくなるので、釣り糸が係止できる挟持幅を長くすることができる。このため、係止した釣り糸が抜けにくくなるので、釣り糸を確実に係止することができる。
【００１１】
発明２に係る両軸受リールは、発明１の両軸受リールにおいて、リール本体は、内部空間にスプールが配置される第１側板及び第２側板を有している。糸巻胴部の軸方向の中心位置は、第１側板と第２側板との間の内部空間の中心位置より、第１フランジ部側にずれて設けられ、スプールの回転軸に平行に配置され糸巻胴部と対向する範囲の外周に螺旋状溝が形成された螺軸と、螺軸を回転させるための連動機構と、螺旋状溝に係合して往復移動する釣り糸案内部とを有し、釣り糸をスプールに均一に巻き付けるためのレベルワインド機構をさらに備えている。この場合、レベルワインド機構の螺旋状溝が糸巻胴部と対向する範囲に形成されているので、釣り糸をスプールに無駄なく均一に巻き付けることができる。
【００１２】
発明３に係る両軸受リールは、発明１又は２の両軸受リールにおいて、第１フランジ部は、ハンドルと近接する側に設けられ、第２フランジ部は、ハンドルと離反する側に設けられている。この場合、たとえば右側にハンドルを設けたとき、右手でハンドル操作を行いながら、左手でサミングを行うことができるので、ハンドル操作とサミングとをリールを持ち替えることなく交互に連続的に行うことができる。
【００１３】
発明４に係る両軸受リールは、発明１から３のいずれかの両軸受リールにおいて、第２フランジ部は、釣糸係止部を装着可能に凹んで形成された装着凹部を有している。この場合、装着凹部の内部に釣糸係止部が装着されるので、釣糸係止部が外部に突出することがなくなる。したがって、サミングしたときに親指が接触しにくくなるので、サミングをより快適に行うことができる。
【００１４】
発明５に係る両軸受リールは、発明４の両軸受リールにおいて、装着凹部は、第２円筒部に形成されている。この場合、サミングしたときに親指が接触しにくくなるので、サミングをさらに快適に行うことができる。
【００１５】
発明６に係る両軸受リールは、発明４又は５の両軸受リールにおいて、装着凹部は、第２傾斜部に形成されている。この場合、たとえば装着凹部を第２円筒部から第２傾斜部にわたって形成することにより、釣糸係止部を第２円筒部及び第２傾斜部の外部に突出しなくなるので、釣り糸を釣糸係止部に係止した後に釣り糸を巻き付けても、巻き付けた釣り糸に段差等が生じにくくなる。
【００１６】
発明７に係る両軸受リールは、発明１から６のいずれかの両軸受リールにおいて、釣糸係止部は、糸巻胴部に装着固定されている。この場合、たとえば釣糸係止部を糸巻胴部の内部に貫通させ、糸巻胴部の内部のボス部にねじ止めすることにより、釣糸係止部の取り付け部を外部に露出させなくすることができる。
【００１７】
発明８に係る両軸受リールは、発明１から６のいずれかの両軸受リールにおいて、釣糸係止部は、第２傾斜部に装着固定されている。この場合、釣糸係止部の取り付けが簡単になる。
【００１８】
発明９に係る両軸受リールは、発明１から８のいずれかの両軸受リールにおいて、釣糸係止部は、略Ｕ字状に湾曲した線材からなる金属製の針金状部材である。この場合、釣糸係止部は、先端部が略Ｕ字状に湾曲した線材からなる部材であるので、親指が釣糸係止部に接触しても、釣人は違和感を感じることがなくなり、このため、サミングを快適に行うことができる。また、金属製の針金状部材によって釣糸係止部を形成することにより、釣糸係止部の加工が容易になるとともに、安価な釣糸係止部を提供できる。
【発明の効果】
【００１９】
本発明によれば、両軸受リールにおいて、第２フランジ部は、第１フランジ部の第１円筒部の軸方向長さより長くなるように形成された第２円筒部を有し、第２フランジ部側に釣糸係止部が設けられている。釣糸係止部は、基端部が糸巻胴部又は第２傾斜部に固定され、基端部から先端部の間の部分が第２傾斜部から第２円筒部に沿って折れ曲がって形成されている。したがって、サミングを快適に行うことができ、釣り糸を確実に係止することができる。
【発明を実施するための最良の形態】
【００２０】
本発明の一実施形態が採用された両軸受リールは、図１及び図２に示すように、ワカサギ釣り用の小型の両軸受リールである。このリールは、リール本体１と、リール本体１の側方に配置されたスプール回転用ハンドル２とを備えている。
【００２１】
ハンドル２は、図１に示すように、板状のアーム部２ａと、アーム部２ａの一端に回転自在に装着された把手２ｂとを有するシングルハンドル形のものである。アーム部２ａは、図２に示すように、ハンドル軸３０の先端に回転不能に装着されており、ナット部材２８によりハンドル軸３０に締結されている。
【００２２】
リール本体１は、図１及び図２に示すように、たとえばアルミニウム合金やマグネシウム合金などの金属製の部材であり、フレーム５と、フレーム５の両側方に装着された第１側カバー６及び第２側カバー７とを有している。リール本体１の内部には、糸巻き用のスプール１２がスプール軸２０（図２参照）を介して回転自在かつ着脱自在に装着されている。
【００２３】
フレーム５内には、図２に示すように、スプール１２と、図示しないワンウェイクラッチをオン、オフするためのストッパレバー１６と、後述するクラッチ機構２１を操作するためのクラッチレバー１７と、スプール１２内に均一に釣り糸を巻くためのレベルワインド機構１８とが配置されている。また、フレーム５と第２側カバー７との間には、図２に示すように、ハンドル２からの回転力をスプール１２及びレベルワインド機構１８に伝えるためのギア機構１９と、クラッチ機構２１と、クラッチレバー１７の操作に応じてクラッチ機構２１を制御するためのクラッチ制御機構２２と、スプール１２の回転時の抵抗力を調整するためのキャスティングコントロール機構２４とが配置されている。
【００２４】
フレーム５は、図１及び図２に示すように、所定の間隔をあけて互いに対向するように配置された１対の第１側板８及び第２側板９と、第１側板８及び第２側板９を一体で連結する前後の連結部１０ａ、１０ｂとを有している。第１側板８の中心部よりやや上方には、スプール１２を着脱するための円形の開口８ａが形成されている。この開口８ａの内周部には、スプール１２の回転軸であるスプール軸２０の左端を支持するスプール支持部１３が装着されている。
【００２５】
第１側板８及び第２側板９は、図２に示すように、両端部外周が対向する軸方向内方側に突出して設けられたリング状の第１環状部１４ａ及び第２環状部１４ｂをさらに有している。第１環状部１４ａ及び第２環状部１４ｂの内周部には、側部が開口する環状の第１凹溝部１４ｃ及び第２凹溝部１４ｄがそれぞれ形成されている。
【００２６】
前側の連結部１０ａは、上面が第１側板８及び第２側板９の外形と同一面に配置されており、後側の連結部１０ｂは、後面が第１側板８及び第２側板９の外形と同一面に配置されている。また、フレーム５の下部には、図示しない連結部が、前後に１対設けられており、外形より内側に配置されている。この下側の連結部には、図１に示すように、リールを釣竿に装着するための前後に長い、たとえばアルミニウム合金等の金属製の竿装着脚部４がリベット止めされている。
【００２７】
第１側カバー６及び第２側カバー７は、図１及び図２に示すように、外形が湾曲した筐状の部材であって、図示しない複数のねじ部材によって第１側板８及び第２側板９に着脱可能に装着されている。
【００２８】
スプール１２は、図１及び図２に示すように、第１側板８及び第２側板９の間に回転自在に装着され、外周に釣り糸を巻き付けるためのものである。スプール１２は、図３に拡大して示すように、外周に釣り糸が巻き付けられる筒状の糸巻胴部１２ａと、糸巻胴部１２ａの両端にそれぞれ径方向外方に突出して設けられた第１フランジ部１２ｂ及び第２フランジ部１２ｃとを有している。
【００２９】
糸巻胴部１２ａは、図２に示すように、外周に釣り糸が巻き付けられる筒状部材であって、軸方向の中心位置Ｙは、第１側板８及び第２側板９の間の内部空間の中心位置Ｘより、第１フランジ部１２ｂ側にずれて配置されている。
【００３０】
第１フランジ部１２ｂは、図３に示すように、糸巻胴部１２ａの一端（図３右側）に径方向外方に突出して設けられた第１傾斜部１２ｄと、第１傾斜部１２ｄの先端部から軸方向外方に突出して設けられた第１円筒部１２ｅとを有している。第２フランジ部１２ｃは、糸巻胴部１２ａの他端（図３左側）に径方向外方に突出して設けられた第２傾斜部１２ｆと、第２傾斜部１２ｆの先端部から軸方向外方に突出して設けられた第２円筒部１２ｇとを有している。第２円筒部１２ｇは、軸方向長さが第１円筒部１２ｅの軸方向長さより長くなるように、具体的には、第１円筒部１２ｅの軸方向長さの略２倍の長さになるように形成されており、このため左手の親指でサミングを行うことが容易になっている。
【００３１】
第１フランジ部１２ｂ及び第２フランジ部１２ｃは、図３に示すように、第１円筒部１２ｅ及び第２円筒部１２ｇの両端外周に突出し、第１環状部１４ａ及び第２環状部１４ｂの先端部との間に僅かな隙間をあけて設けられ、第１フランジ部１２ｂ及び第２フランジ部１２ｃと第１側板８及び第２側板９との間に釣り糸が進入するのを防止する第１釣り糸進入防止部１２ｉ及び第２釣り糸進入防止部１２ｊをさらに有している。スプール１２は、糸巻き胴部１２ａの内周側の軸方向の実質的に中央部に一体で形成された筒状のボス部１２ｈを有しており、ボス部１２ｈを貫通するスプール軸２０に、たとえばセレーション結合により回転不能に固定されている。
【００３２】
また、このようなスプール１２には、図３から図６に示すように、釣り糸の途中部分を係止するための略Ｕ字状に湾曲した線材からなる釣糸係止部７０が第２フランジ部１２ｃに装着されている。第２フランジ部１２ｃは、第２円筒部１２ｇから第２傾斜部１２ｆにわたって釣糸係止部７０を装着可能に略Ｕ字状に凹んで形成された装着凹部１２ｋと、装着凹部１２ｋの基端部と連通し第２傾斜部１２ｆの内部にボス部１２ｈを貫通し釣糸係止部７０を挿入可能な貫通孔１２ｌとを有している。
【００３３】
釣糸係止部７０は、図３から図６に示すように、金属製の断面略円形の針金状部材であって、略Ｕ字状に湾曲した先端部７０ａと、先端部７０ａから装着凹部１２ｋに沿って折れ曲がり糸巻胴部１２ａ側に延びる中間部７０ｂと、中間部７０ｂから貫通孔１２ｌを貫通し両端部がそれぞれ対向するように略Ｌ字状に折れ曲がりボス部１２ｈにねじ部材７１によって固定される基端部７０ｃとを有している。
【００３４】
先端部７０ａは、図３及び図６に示すように、略Ｕ字状に湾曲し、その先部分がやや斜め上外方に突出して形成されており、先部分が第２円筒部１２ｇの装着凹部１２ｋより外方にやや突出している。このため、釣り糸が先端部７０ａから中間部７０ｂ側に釣り糸を係止しやすくなっている。なお、先端部７０ａの中間部７０ｂ側の部分は、第２円筒部１２ｇの装着凹部１２ｋの内部に配置されている。このため、釣り糸を釣糸係止部７０に係止した後巻き付けるときには、巻き付けた釣り糸に段差等が生じにくくなる。また、先端部７０ａが略Ｕ字状に湾曲した線材からなる部材であるので、親指が釣糸係止部７０に接触しても、釣人は違和感を感じることがなくなり、このため、サミングを快適に行うことができる。
【００３５】
中間部７０ｂは、図３及び図４に示すように、第２傾斜部１２ｆの装着凹部１２ｋの外形に沿って折れ曲がり、基端部７０ｃ側がスプール軸２０に対して略直交するように貫通孔１２ｌに沿って平行に延びた２つの軸部分である。なお、中間部７０ｂは、第２傾斜部１２ｆの装着凹部１２ｋの内部に配置されている。このため、釣り糸を釣糸係止部７０に係止した後巻き付けるときには、巻き付けた釣り糸に段差等が生じにくくなる。
【００３６】
基端部７０ｃは、図３及び図４に示すように、中間部７０ｂの両端部がそれぞれ対向するように略Ｌ字状に折れ曲がっており、この折れ曲がり部分を図３左側から装着されたねじ部材７１の頭部とボス部１２ｈとで挟持することによって、釣糸係止部７０がボス部１２ｈにねじ止めされている。
【００３７】
このような釣糸係止部７０に釣り糸を係止するには、まず、釣り糸の途中部分を先端部７０ａから先端部７０ａと第２円筒部１２ｇの装着凹部１２ｋとの間に挿入する。次に、挿入された釣り糸を間部７０ｂと第２傾斜部１２ｆの装着凹部１２ｋとの間に引き込んで挟持する。なお、釣り糸の挟持される位置は、既に糸巻胴部１２ａに巻き付けられている糸巻き量より径方向外方の位置である。
【００３８】
クラッチレバー１７は、図１及び図２に示すように、第２側板９と第２側カバー７との間の後部でスプール１２後方に配置されている。クラッチレバー１７は、前後方向にスライド可能に設けられており、クラッチ制御機構２２（図２参照）に係合している。
【００３９】
レベルワインド機構１８は、図２に示すように、スプール１２の前方で第１側板８と第２側板９との間に配置され、外周面に交差する螺旋状溝４６ａが形成された螺軸４６と、螺軸によりスプール軸２０方向に往復移動する釣り糸案内部４７とを有している。螺旋状溝４６ａは、図２に示すように、スプール軸２０に平行に配置され、糸巻胴部１２ａと対向する範囲の外周に形成されている。ここでは、螺旋状溝４６ａが糸巻胴部１２ａと対向する範囲に形成されているので、釣り糸をスプール１２に無駄なく均一に巻き付けることができる。螺軸４６の図２右端には、ギア機構１９に噛み合う図示しないギア部材が装着されており、このため、螺軸４６はハンドル軸３０の糸巻き取り方向の回転に連動して回転するようになっている。
【００４０】
ギア機構１９は、図２に示すように、ハンドル軸３０と、ハンドル軸３０に固定されたメインギア３１と、メインギア３１に噛み合う筒状のピニオンギア３２とを有している。ハンドル軸３０は、図示しない爪式のワンウェイクラッチにより糸繰り出し方向の回転（逆転）が禁止されており、ストッパレバー１６（図１参照）によって糸繰り出し方向の回転を許可することができる。
【００４１】
スプール軸２０は、図２に示すように、第２側板９を貫通して第２側カバー７の外方に延びており、その延びた右端は、第２側カバー７により回転自在に支持されている。またスプール軸２０の左端は、スプール支持部１３によって回転自在に支持されている。
【００４２】
次に、実釣時のリールの操作及び動作について詳細に説明する。
【００４３】
キャスティングを行うときには、クラッチレバー１７を下方に押圧する。すると、クラッチ機構２１を構成するピニオンギア３２が軸方向外方に移動し、クラッチオフ状態になる。このクラッチオフ状態では、スプール１２が自由回転状態になり、キャスティングを行うと仕掛けの重さにより釣り糸がスプール１２から勢いよく繰り出される。
【００４４】
仕掛けが棚位置に位置すると、この棚位置を記憶するために、釣り糸の途中部分を釣糸係止部７０に係止する。この状態で、魚等がヒットすると、左手の親指で第２フランジ部１２ｃの第２円筒部１２ｇをサミングしながら、交互に右手でハンドル２を糸巻き取り方向に回転させて釣り糸をスプール１２に巻き付ける。次に、再度、キャスティングを行うときは、釣糸係止部７０の釣り糸係止位置より後に巻き上げた釣り糸だけ投出されるので、前回と同じ棚位置に仕掛けを位置させることができる。
【００４５】
このような両軸受リールでは、第２フランジ部１２ｃは、第１フランジ部１２ｂの第１円筒部１２ｅの軸方向長さより長くなるように形成された第２円筒部１２ｇを有しているので、サミングするときの親指の接触面積が増加し、このため、サミングを快適に行うことができる。また、第２フランジ部１２ｃ側に釣糸係止部７０が設けられているので、釣り糸の係止が容易になる。
【００４６】
さらに、ここでは、釣糸係止部７０は、基端部７０ｃが第２傾斜部１２ｆを貫通して糸巻胴部１２ａ内部のボス部１２ｈに固定され、中間部７０ｂから先端部７０ａの間の部分が第２傾斜部１２ｆから第２円筒部１２ｇに沿って折れ曲がって形成されているので、従来のように第２円筒部１２ｇの糸巻胴部１２ａ側端部に固定部を設ける必要がなくなる。したがって、釣り糸が係止される挟持部分が軸方向外方に位置することがなくなるので、釣り糸が係止できる挟持幅を長くすることができる。さらに、ここでは、釣り糸の途中部分を先端部７０ａから先端部７０ａと第２円筒部１２ｇの装着凹部１２ｋとの間に挿入し、挿入された釣り糸を間部７０ｂと第２傾斜部１２ｆの装着凹部１２ｋとの間に引き込んで挟持しているので、係止した釣り糸が抜けにくくなり、このため、釣り糸を確実に係止することができる。
【００４７】
〔他の実施形態〕
（ａ）  前記実施形態では、小型の両軸受リールを例にあげて説明したが、両軸受リールの形状はこれに限定されるものではなく、たとえば大型の両軸受リールや、丸型の両軸受リールや、ロープロフィール型の両軸受リール等にも本発明を適用できる。
【００４８】
（ｂ）  前記実施形態では、釣糸係止部７０は、金属製の断面略円形の針金状部材であったが、材質や形状はこれらのものに限定されるものではなく、たとえば合成樹脂によって釣糸係止部７０を形成してもよい。
【００４９】
（ｃ）  前記実施形態では、釣糸係止部７０は、先端部７０ａがやや斜め上外方に突出して形成されていたが、図７に示すように、先端部７０ａが第２円筒部１２ｇの装着凹部１２ｋの内部に配置されるようにしてもよい。この場合、サミングしたときに親指が釣糸係止部７０に接触しにくくなる。
【００５０】
（ｄ）  前記実施形態では、釣糸係止部７０は、ボス部１２ｈにねじ部材７１によって取り付けられていたが、取り付け方法はこれらに限定されるものではなく、たとえば第２傾斜部１２ｆに圧入したり接着固定するようにしてもよい。なお、この場合には、貫通孔１２ｌやねじ部材７１を設ける必要がなくなる。
【００５１】
（ｅ）  前記実施形態では、第２円筒部１２ｇから第２傾斜部１２ｆにわたって略Ｕ字状に凹んだ装着凹部１２ｋが形成されていたが、装着凹部１２ｋの外形はこれに限定されるものではない。たとえば、第２円筒部１２ｇまたは第２傾斜部１２ｆの一方のみに装着凹部１２ｋを形成するようにしてもよいし、あるいは装着凹部１２ｋを形成しない構成にしてもよい。
【図面の簡単な説明】
【００５２】
【図１】本発明の一実施形態を採用した両軸受リールの斜視図。
【図２】前記両軸受リールの平面断面図。
【図３】スプールの拡大平面断面図。
【図４】前記スプールの部分拡大側面断面図。
【図５】前記スプールの拡大正面図。
【図６】前記スプールの部分拡大斜視図。
【図７】他の実施形態の図３に相当する図。
【符号の説明】
【００５３】
１  リール本体
２  ハンドル
５  フレーム
６  第１側カバー
７  第２側カバー
８  第１側板
９  第２側板
１２  スプール
１２ａ  糸巻胴部
１２ｂ  第１フランジ部
１２ｃ  第２フランジ部
１２ｄ  第１傾斜部
１２ｅ  第１円筒部
１２ｆ  第２傾斜部
１２ｇ  第２円筒部
１２ｈ  ボス部
１２ｉ  第１釣り糸進入防止部
１２ｊ  第２釣り糸進入防止部
１２ｋ  装着凹部
１２ｌ  貫通孔
１８  レベルワインド機構
２０  スプール軸
７０  釣糸係止部
７０ａ  先端部
７０ｂ  中間部
７０ｃ  基端部
７１  ねじ部材
【図１】
2007006710.tif 000003
【図２】
2007006710.tif 000004
【図３】
2007006710.tif 000005
【図４】
2007006710.tif 000006
【図５】
2007006710.tif 000007
【図６】
2007006710.tif 000008
【図７】
2007006710.tif 000009